(57)【要約】【課題】低温での貯蔵安定性を向上すると共に、濃厚でありつつも皮膚に伸ばしやすくて持続性の高い泡性能を有し、すすぎやすいが、洗い上りの肌がつるつるして保護感があり、洗浄による肌の刺激感が低減された液体洗浄剤を提供する。【解決手段】（Ａ）Ｎ−アシル酸性アミノ酸またはその塩  ２．５〜１５質量％、（Ｂ）特定のアルキルエーテルカルボン酸またはその塩  ０．３〜８質量％、（Ｃ）特定の両性界面活性剤  ０．２〜５質量％、ならびに（Ｄ）水を含む液体洗浄剤組成物であって、［（Ｂ）＋（Ｃ）］／（Ａ）×１００＝１５〜１２０であり、（Ｃ）／（Ａ）×１００＝５〜７０である液体洗浄剤組成物。【選択図】なし【特許請求の範囲】
【請求項１】
次の成分（Ａ）、（Ｂ）、（Ｃ）ならびに（Ｄ）：
（Ａ）Ｎ−アシル酸性アミノ酸またはその塩  ２．５〜１５質量％、
（Ｂ）下記一般式（１）で表されるアルキルエーテルカルボン酸またはその塩  ０．３〜８質量％、
Ｒ1−Ｏ−（ＣＨ2ＣＨ2Ｏ）n−ＣＨ2−ＣＯＯＭ  （１）
（上記一般式（１）中、Ｒ1は炭素数４〜２２のアルキル基を示し、ｎは０〜２０の数を示し、Ｍは水素原子、アルカリ金属、アルカリ土類金属またはアンモニウムを示す。）
（Ｃ）炭素数８〜１４のアルキル基を有するアルキルアミドプロピルベタインおよび炭素数８〜１４のアルキル基を有するアルキルヒドロキシスルホベタインからなる群から選ばれる１種または２種以上の両性界面活性剤  ０．２〜５質量％、ならびに
（Ｄ）水
を含む液体洗浄剤組成物であって、
前記成分（Ａ）に対する前記成分（Ｂ）および前記成分（Ｃ）の合計量［（Ｂ）＋（Ｃ）］の割合が、質量比で、［（Ｂ）＋（Ｃ）］／（Ａ）×１００＝１５〜１２０  であり、
前記成分（Ａ）に対する前記成分（Ｃ）の割合が、質量比で、（Ｃ）／（Ａ）×１００＝５〜７０  である、液体洗浄剤組成物。
【請求項２】
（Ｅ）アルキル基の炭素数が１２〜２２であるポリオキシエチレン脂肪酸エステル、アルキル基の炭素数が１２〜２２であるポリオキシエチレンソルビタン脂肪酸エステル、アルキル基の炭素数が１２〜２２であるポリオキシエチレングリセリンモノ脂肪酸エステル、アルキル基の炭素数が１２〜２２であるポリオキシエチレンソルビトール脂肪酸エステル、および、ポリオキシエチレン硬化ヒマシ油から選ばれる１種または２種以上であって、ＨＬＢが１１〜２０の非イオン性活性界面剤をさらに含有する、請求項１に記載の液体洗浄剤組成物。
【請求項３】
前記成分（Ｅ）が、アルキル基の炭素数が１４〜１８であるポリオキシエチレンソルビタン脂肪酸エステル、および、ポリオキシエチレン硬化ヒマシ油から選ばれる１種または２種以上であって、
成分（Ｅ）の含有量が、当該液体洗浄剤組成物全体に対して０．２〜５質量％である、請求項２に記載の液体洗浄剤組成物。
【請求項４】
前記成分（Ｅ）がモノステアリン酸ポリオキシエチレンソルビタンを含む、請求項２または３に記載の液体洗浄剤組成物。
【請求項５】
前記成分（Ａ）がＮ−アシルグルタミン酸塩を含む、請求項１乃至４いずれか１項に記載の液体洗浄剤組成物。
【請求項６】
ノンガスフォーマー容器に充填してなる、請求項１乃至５いずれか１項に記載の液体洗浄剤組成物。
【発明の詳細な説明】
【技術分野】
【０００１】
本発明は、液体洗浄剤組成物に関する。
【背景技術】
【０００２】
洗浄剤組成物に関する技術として、特許文献１〜３に記載のものがある。
特許文献１（特開平６−２５６９５号公報）には、特定のポリオキシエチレンアルキルエーテル酢酸塩と特定のＮ−アシルアスパラギン酸塩とを含有する洗浄剤組成物について記載されている。そして、同文献に記載の洗浄剤組成物は、優れた洗浄力を有し、皮膚に対する作用も温和であり、更に洗い上がり後の感触が、ぬる付くことがなく、使用感の良好なものであるとされている。
【０００３】
特許文献２（特開２０１１−１４０４６４号公報）には、Ｎ−アシルグルタミン酸塩、両性界面活性剤、および特定のポリオキシエチレン鎖を有する特定のエーテル化合物を組み合わせて用いるフォーマー容器入り洗浄剤について記載されている。そして、Ｎ−アシルグルタミン酸塩と両性界面活性剤とのの合計含有量を特定の量とすることにより、十分な泡量及びクリーミーで弾力性のある泡質を有する一方で、洗浄後にしっとり感が得られ、つっぱり感、ぬるつき感及びきしみ感が少ない十分な泡量及びクリーミーで弾力性のある泡質を有する一方で、洗浄後にしっとり感が得られ、つっぱり感、ぬるつき感及びきしみ感が少なく、優れた低温安定性を有し、かつ良好なポンプの押し出し性を有するフォーマー容器入り洗浄剤を提供されるとされている。
【０００４】
特許文献３（特開２０１４−２４８７５号公報）には、Ｎ−アシルアミノ酸又はその塩、両性界面活性剤、グリセリンおよび特定の分子量のポリエチレングリコールを特定の割合で組み合わせて用いるノンガスフォーマー容器入り液体洗浄剤について記載されている。そして、Ｎ−アシルアミノ酸又はその塩と両性界面活性剤との含有量の質量比、グリセリンおよび上記ポリエチレングリコールの含有量の合計、ならびに粘度について特定の条件を満たす構成とすることにより、高性能な泡を実現して、洗いあがりの皮膚にも良好な使用感をもたらすとともに、吐出性にも優れる液体洗浄剤が得られるとされている。
【先行技術文献】
【特許文献】
【０００５】
【特許文献１】特開平６−２５６９５号公報
【特許文献２】特開２０１１−１４０４６４号公報
【特許文献３】特開２０１４−２４８７５号公報
【発明の概要】
【発明が解決しようとする課題】
【０００６】
ところが、上述した技術を用いても、低温での貯蔵安定性、泡性能、洗浄による肌の刺激感の低減および洗い上がりの肌のつるつるした感じや保護感についての性能のバランスの点で、なお改善の余地があった。
本発明は、低温での貯蔵安定性に優れると共に、濃厚でありつつも皮膚に伸ばしやすく持続性の高い泡性能を有し、すすぎやすいにもかわらず、洗い上りの肌がつるつるして保護感があり、洗浄による肌の刺激感が低減された液体洗浄剤に関する。
【課題を解決するための手段】
【０００７】
本発明によれば、
次の成分（Ａ）、（Ｂ）、（Ｃ）ならびに（Ｄ）：
（Ａ）Ｎ−アシル酸性アミノ酸またはその塩  ２．５〜１５質量％、
（Ｂ）下記一般式（１）で表されるアルキルエーテルカルボン酸またはその塩  ０．３〜８質量％、
Ｒ1−Ｏ−（ＣＨ2ＣＨ2Ｏ）n−ＣＨ2−ＣＯＯＭ  （１）
（上記一般式（１）中、Ｒ1は炭素数４〜２２のアルキル基を示し、ｎは０〜２０の数を示し、Ｍは水素原子、アルカリ金属、アルカリ土類金属またはアンモニウムを示す。）
（Ｃ）炭素数８〜１４のアルキル基を有するアルキルアミドプロピルベタインおよび炭素数８〜１４のアルキル基を有するアルキルヒドロキシスルホベタインからなる群から選ばれる１種または２種以上の両性界面活性剤  ０．２〜５質量％、ならびに
（Ｄ）水
を含む液体洗浄剤組成物であって、
前記成分（Ａ）に対する前記成分（Ｂ）および前記成分（Ｃ）の合計量［（Ｂ）＋（Ｃ）］の割合が、質量比で、［（Ｂ）＋（Ｃ）］／（Ａ）×１００＝１５〜１２０  であり、
前記成分（Ａ）に対する前記成分（Ｃ）の割合が、質量比で、（Ｃ）／（Ａ）×１００＝５〜７０  である、液体洗浄剤組成物が提供される。
【発明の効果】
【０００８】
本発明によれば、低温での貯蔵安定性に優れると共に、濃厚でありつつも皮膚に伸ばしやすく持続性の高い泡性能を有し、すすぎやすいが、洗い上りの肌がつるつるして保護感があり、洗浄による肌の刺激感が低減された液体洗浄剤を提供することができる。
【発明を実施するための形態】
【０００９】
以下、本発明の実施の形態について、説明する。
本実施形態において、液体洗浄剤組成物は、次の成分（Ａ）、（Ｂ）、（Ｃ）ならびに（Ｄ）を含む。
（Ａ）Ｎ−アシル酸性アミノ酸またはその塩  ２．５〜１５質量％、
（Ｂ）下記一般式（１）で表されるアルキルエーテルカルボン酸またはその塩  ０．３〜８質量％、
Ｒ1−Ｏ−（ＣＨ2ＣＨ2Ｏ）n−ＣＨ2−ＣＯＯＭ  （１）
（上記一般式（１）中、Ｒ1は炭素数４〜２２のアルキル基を示し、ｎは０〜２０の数を示し、Ｍは水素原子、アルカリ金属、アルカリ土類金属またはアンモニウムを示す。）
（Ｃ）炭素数８〜１４のアルキル基を有するアルキルアミドプロピルベタインおよび炭素数８〜１４のアルキル基を有するアルキルヒドロキシスルホベタインからなる群から選ばれる１種または２種以上の両性界面活性剤  ０．２〜５質量％、ならびに
（Ｄ）水。
そして、成分（Ａ）に対する成分（Ｂ）および成分（Ｃ）の合計量［（Ｂ）＋（Ｃ）］の割合が、質量比で、［（Ｂ）＋（Ｃ）］／（Ａ）×１００＝１５〜１２０である。また、成分（Ａ）に対する成分（Ｃ）の割合が、質量比で、（Ｃ）／（Ａ）×１００＝５〜７０である。
【００１０】
（成分（Ａ））
成分（Ａ）はＮ−アシル酸性アミノ酸またはその塩である。
Ｎ−アシル酸性アミノ酸またはその塩を構成する脂肪酸は、泡立ち性と使用感を向上させる観点から、飽和または不飽和の直鎖または分岐鎖を有する脂肪酸であることが好ましく、飽和の直鎖または分岐鎖を有する脂肪酸であることがより好ましく、その脂肪酸の炭素数は、８〜１８が好ましく、８〜１６がより好ましく、１０〜１４がさらに好ましい。このような脂肪酸としては、カプリル酸、カプリン酸、ラウリン酸、ミリスチン酸、パルミチン酸、ステアリン酸、オレイン酸等が挙げられる。これら脂肪酸のなかでも、泡質及び低温貯蔵安定性を向上させる観点から、ラウリン酸、ミリスチン酸、パルミチン酸、オレイン酸が好ましく、ラウリン酸がより好ましい。また、Ｎ−アシルアミノ酸のアシル基は、上記の脂肪酸の混合脂肪酸を由来としたもの、たとえば、ヤシ油、パーム核油などを原料にして得られたものであってもよい。なかでも、ヤシ油脂肪酸やパーム核脂肪酸を原料にして得られたものが好ましく、ヤシ油脂肪酸を原料にして得られたものがより好ましい。
【００１１】
成分（Ａ）のＮ−アシル酸性アミノ酸のアミノ酸部分としては、低温貯蔵安定性を向上させる観点から、アスパラギン酸、グルタミン酸が好ましく、グルタミン酸がさらに好ましい。また、成分（Ａ）がＮ−アシルグルタミン酸またはその塩であることが好ましい。また、これらのアミノ酸部分はＤ体、Ｌ体あるいはＤ体とＬ体の混合物のいずれであってもよく、低温貯蔵安定性を向上させる観点及び原料の入手が容易である観点からはＬ体であるのが好ましい。
【００１２】
成分（Ａ）は、１種単独で用いてもよく、２種以上組み合わせて用いてもよい。なかでも、低温貯蔵安定性、泡の肌への伸ばしやすさ及び泡が濃い感じを向上させる観点、並びに、泡の持続性を高め良好な使用感を得る観点から、Ｎ−ラウロイルグルタミン酸、Ｎ−ミリストイルグルタミン酸、Ｎ−ココイルグルタミン酸、Ｎ−パーム脂肪酸グルタミン酸、Ｎ−ラウロイルアスパラギン酸、またはこれらの塩が好ましく、Ｎ−ラウロイルグルタミン酸、Ｎ−ミリストイルグルタミン酸、Ｎ−ココイルグルタミン酸（Ｎ−ヤシ油脂肪酸アシルグルタミン酸）、Ｎ−ラウロイルアスパラギン酸またはこれらの塩がさらに好ましく、Ｎ−ココイルグルタミン酸、Ｎ−ラウロイルグルタミン酸、Ｎ−ラウロイルアスパラギン酸またはこれらの塩がさらにより好ましく、Ｎ−ココイルグルタミン酸またはその塩が特に好ましい。
【００１３】
Ｎ−アシル酸性アミノ酸またはその塩の塩としては、泡立ち性及び泡質を向上させる観点、肌の刺激感を低減する観点並びに入手容易性の観点から、ナトリウム、カリウム等のアルカリ金属塩；カルシウム、マグネシウム等のアルカリ土類金属塩；アルミニウム、亜鉛等の他の無機塩；アンモニウム塩；モノエタノールアミン、ジエタノールアミン、トリエタノールアミン、２−アミノ−２−メチル−１−プロパノール（ＡＭＰ）、２−アミノ−２−ヒドロキシメチル−１，３-プロパンジオール等の有機アミン塩；アルギニン、リジン、ヒスチジン、オルニチン等の塩基性アミノ酸塩等の他の有機塩が挙げられる。中でも、泡立ち性及び泡質を向上させる観点及び入手が容易である点で、アルカリ金属塩、トリエタノールアミン塩、アルギニン塩が好ましく、ナトリウム塩、カリウム塩、トリエタノールアミン塩、アルギニン塩がより好ましく、ナトリウム塩、カリウム塩がさらに好ましく、ナトリウム塩がよりさらに好ましい。
【００１４】
成分（Ａ）の含有量は、泡ののばしやすさ、泡が持続する感じ及び泡が濃い感じを得る観点から、液体洗浄剤組成物全体に対して２．５質量％以上であり、３質量％以上であることが好ましく、４質量％以上であることがさらに好ましい。また、肌の刺激感を低減する観点から、成分（Ａ）の含有量は、液体洗浄剤組成物全体に対して１５質量％以下であり、８質量％以下であることが好ましい。
【００１５】
（成分（Ｂ））
成分（Ｂ）は、下記一般式（１）で表されるアルキルエーテルカルボン酸またはその塩である。
Ｒ1−Ｏ−（ＣＨ2ＣＨ2Ｏ）n−ＣＨ2−ＣＯＯＭ  （１）
（上記一般式（１）中、Ｒ1は炭素数４〜２２のアルキル基を示し、ｎは０〜２０の数を示し、Ｍは水素原子、アルカリ金属、アルカリ土類金属またはアンモニウムを示す。）
本発明において、アンモニウムは、ＮＨ4+および有機アンモニウムを含む。
【００１６】
一般式（１）において、Ｒ1は炭素数４〜２２のアルキル基であり、低温貯蔵安定性および起泡性を向上させ、肌の刺激感を低減する観点から、アルキル基の炭素数は、好ましくは６〜２０、さらに好ましくは８〜１８、さらにまた好ましくは８〜１６、よりいっそう好ましくは１０〜１６、ことさら好ましくは１２〜１６である。また、Ｒ1のアルキル鎖は、直鎖または分岐鎖のいずれでも良いが、起泡性を向上させる観点から、直鎖アルキル基が好ましい。また、Ｒ1の平均炭素数は、低温貯蔵安定性と肌がつるつるして保護された感じを向上させる観点から、１０．８〜１４．８が好ましく、より好ましくは１１．０〜１３．５、よりさらに好ましくは１１．５〜１３．５、とりわけ好ましくは１２．３〜１３．５である。
また、Ｒ1は２種以上のアルキル基を含んでもよい。すなわち、本発明の洗浄剤は、Ｒ1のアルキル基の異なる、２種類以上の一般式（１）で表されるアルキルエーテルカルボン酸またはその塩を含んでいてもよい。
【００１７】
また、一般式（１）中、ｎは０〜２０の数を示す。肌がつるつるした感じを与え、保護された感じを向上させる観点から、ｎは、好ましくは０〜１５であり、さらに好ましくは１〜１５であり、さらにまた好ましくは３〜１２であり、よりさらに好ましくは３〜１１である。なお、ｎは、エチレンオシキシドの付加モル数を示し、成分（Ｂ）の組成中の平均付加モル数（ｎの平均値）は、泡性能を向上させる観点、及び、肌がつるつるした感じを与え、保護された感じを向上させる観点からは、好ましくは１．５〜１５であり、より好ましくは２．５〜１２であり、さらに好ましくは３．０〜１１であり、さらにまた好ましくは３．５〜５．０である。
さらに、成分（Ｂ）の組成中の一般式（１）中のｎ＝０の成分の割合は、肌がつるつるした感じを与え、保護された感じを向上させる観点から、２７％以下が好ましく、１５．５％以下がより好ましく、１０％以下がさらに好ましく、９．７％以下がよりさらに好ましく、９．６％以下がことさら好ましい。
【００１８】
また、一般式（１）中、Ｍとしては、水素原子；ナトリウム、カリウム等のアルカリ金属；カルシウム、マグネシウム等のアルカリ土類金属；アンモニウム；ＮＨ4+、および、モノエタノールアミン、ジエタノールアミン、トリエタノールアミン等のアルカノールアミン由来のアンモニウム；アルギニン、リジン等の塩基性アミノ酸由来のカチオン；その他の有機アンモニウムなどが挙げられる。これらの中で、起泡性及び低温貯蔵安定性を向上させ、経時での着色性を低減させる観点から、水素原子、アルカリ金属が好ましい。
【００１９】
液体洗浄剤組成物中の成分（Ｂ）の含有量は、液体洗浄剤組成物全体に対して、低温貯蔵安定性を良好にする観点から０．３質量％以上８質量％以下であり、０．４質量％以上が好ましく、０．６質量％以上がよりいっそう好ましい。
また、泡ののばしやすさ、泡が持続する感じ、濃い感じを良好にする観点から、成分（Ｂ）の含有量は、液体洗浄剤組成物全体に対して５％質量以下が好ましく、３．５質量％以下がより好ましく、２．５質量％以下がさらに好ましく、２質量％以下であるのがことさら好ましい。
なお、本発明において、成分（Ｂ）の組成物中の含有量は、酸としての含有量である。すなわち、一般式（１）において、Ｍが水素原子以外の場合、Ｍを水素原子に置換して換算した量である。
【００２０】
また、成分（Ａ）に対する成分（Ｂ）の質量割合は、泡が濃い感じを好ましく与える観点から、（Ｂ）／（Ａ）×１００が１５０以下であるのが好ましく、１００以下であるのがより好ましく、８０以下であるのがさらに好ましく、６０以下であるのがとりわけ好ましい。また、成分（Ａ）に対する成分（Ｂ）の質量割合（Ｂ）／（Ａ）×１００が、低温貯蔵安定性を向上させる観点から、２以上であるのが好ましく、５であるの以上がより好ましく、１０以上であるのがさらに好ましい。
【００２１】
（成分（Ｃ））
成分（Ｃ）は、炭素数８〜１４のアルキル基を有するアルキルアミドプロピルベタインおよび炭素数８〜１４のアルキル基を有するアルキルヒドロキシスルホベタインからなる群から選ばれる１種または２種以上の両性界面活性剤である。
【００２２】
成分（Ｃ）のアルキル基の炭素数は、泡ののばしやすさ、泡の濃い感じや持続性を高め、肌の刺激感を低減する観点から、８〜１４であり、好ましくは１０〜１２である。成分（Ｃ）はアルキル基の異なる２種類以上のアルキルアミドプロピルベタイン又はアルキルヒドロキシスルホベタインを含んでもよい。
成分（Ｃ）としては、泡ののばしやすさ、泡の濃い感じや持続性を高め、肌の刺激感を低減する観点からアルキルヒドロキシスルホベタインが好ましく、中でもラウリルヒドロキシスルホベタインが好ましい。
また、成分（Ｃ）のうち、アルキルアミドプロピルベタインの具体例として、ラウリルアミドプロピルベタインが挙げられる。
【００２３】
液体洗浄剤組成物中の成分（Ｃ）の含有量は、低温貯蔵安定性、泡ののばしやすさおよび泡が持続する感じのバランスを良好にする観点から、液体洗浄剤組成物全体に対して０．２質量％以上であり、０．３質量％以上が好ましく、０．５質量％以上がよりいっそう好ましく、０．７質量％以上がさらに好ましい。また、すすぎやすさを良好にする観点から、成分（Ｃ）の含有量は、液体洗浄剤組成物全体に対して５質量％以下であり、３質量％以下が好ましく、２．５質量％以下がよりいっそう好ましく、２質量％以下がさらに好ましい。
【００２４】
成分（Ａ）に対する成分（Ｃ）の質量割合である（Ｃ）／（Ａ）×１００は、泡ののばしやすさ、泡が持続する感じを良好にし、かつすすぎやすい感じを両立する観点から５〜７０であり、７〜５０が好ましく、１２〜４０がさらに好ましい。
【００２５】
また、成分（Ａ）に対する成分（Ｂ）および成分（Ｃ）の合計量［（Ｂ）＋（Ｃ）］の割合は、低温貯蔵安定性を向上させる観点から、質量比で、［（Ｂ）＋（Ｃ）］／（Ａ）×１００が１５〜１２０であり、２６〜１００が好ましく、３０〜９０がより好ましい。
【００２６】
（成分（Ｄ））
成分（Ｄ）は、水である。本実施形態における液体洗浄剤組成物は、たとえば水を媒体として上記成分を溶解または分散させた液体の形態である。水としては、低温貯蔵安定性を向上させる観点から、蒸留水またはイオン交換水を用いるのがよい。
水の含有量には、組成物に配合されるイオン交換水等の精製水のほか、配合される成分に含まれる水の含有量を含む。液体洗浄剤組成物の水の含有量は、たとえば液体洗浄剤組成物中の成分（Ａ）〜（Ｃ）および他の成分の残部である。さらに具体的には、液体洗浄剤組成物中の成分（Ｄ）の含有量は、液体洗浄剤組成物全体に対してたとえば３０〜９５質量％であり、好ましくは４０〜８５質量％、さらに好ましくは５０〜８０質量％である。
【００２７】
本実施形態において、液体洗浄剤組成物は成分（Ａ）〜（Ｄ）以外の成分を含んでいてもよい。たとえば、液体洗浄剤組成物が以下の成分（Ｅ）をさらに含む構成とすることもできる。
【００２８】
（成分（Ｅ））
成分（Ｅ）は、アルキル基の炭素数が１２〜２２であるポリオキシエチレン脂肪酸エステル、アルキル基の炭素数が１２〜２２であるポリオキシエチレンソルビタン脂肪酸エステル、アルキル基の炭素数が１２〜２２であるポリオキシエチレングリセリンモノ脂肪酸エステル、アルキル基の炭素数が１２〜２２であるポリオキシエチレンソルビトール脂肪酸エステル、および、ポリオキシエチレン硬化ヒマシ油から選ばれる１種または２種以上であって、ＨＬＢが１１〜２０の非イオン性界面活性剤である。液体洗浄剤組成物が成分（Ｅ）を含む構成とすることにより、低温貯蔵安定性、肌が保護された感じ、肌がつるつるした感じをさらに高めることができる。
成分（Ｅ）は、さらに具体的には、親水性非イオン界面活性剤であって、親水基としてポリオキシエチレン鎖を有するものであり、ポリオキシエチレン脂肪酸エステル、ポリオキシエチレンソルビタン脂肪酸エステル、ポリオキシエチレングリセリンモノ脂肪酸エステル、ポリオキシエチレンソルビトール脂肪酸エステル、ポリオキシエチレン硬化ヒマシ油のうち、ＨＬＢが１１〜２０のものであり、低温貯蔵安定性、泡の持続性、濃い泡の感じ、洗い上りの肌がつるつるした感じを与え、保護された感じを良好にする観点から、そのＨＬＢは、好ましくは１２〜１８であり、さらに好ましくは１２〜１６である。
成分（Ｅ）のＨＬＢが１１以上であると、低温貯蔵安定性がさらに向上し、ＨＬＢが２０以下であれば、洗い上りの肌がつるつるした感じや保護された感じをより高めることができる。
【００２９】
ここで、ＨＬＢ値は、親水性−親油性のバランス（Hydrophile Lipophile Balance）を示す指標であり、本明細書においては、小田および寺村らによる次式により算出した値を用いている。
【００３０】
【数１】
2018048348.tif 000002
【００３１】
具体的には、ポリオキシエチレン脂肪酸エステルとしては、炭素数１２〜２２の脂肪酸を有し、エチレンオキシド（以下、ＥＯと略記する。）の重合度が５〜３００のものが好ましく、ポリエチレングリコール脂肪酸エステルなどが挙げられ、具体的にはモノステアリン酸ポリエチレングリコール、モノオレイン酸ポリエチレングリコール、ジステアリン酸ポリエチレングリコール、ジオレイン酸ポリエチレングリコール、モノラウリン酸ポリエチレングルコール等が挙げられる。これらのうち、ポリオキシエチレン脂肪酸エステルを構成する脂肪酸のアルキル基の炭素数としては、洗い上りの肌がつるつるした感じ及び保護された感じをより高める観点から１２〜１８が好ましく、１４〜１８がより好ましく、１６〜１８がさらに好ましい。ＥＯの重合度としては５〜３００のものが好ましく、１０〜１５０のものがより好ましい。
【００３２】
ポリオキシエチレンソルビタン脂肪酸エステルとしては、アルキル基の炭素数が１２〜２２の脂肪酸を有し、ＥＯの重合度が５〜２００のものが好ましく、たとえばポリオキシエチレンソルビタンラウリン酸エステル、ポリオキシエチレンソルビタンミリスチン酸エステル、ポリオキシエチレンソルビタンパルミチン酸エステル、ポリオキシエチレンソルビタンイソステアリン酸エステル、ポリオキシエチレンソルビタンステアリン酸エステル、ポリオキシエチレンソルビタンオレイン酸エステル、ポリオキシエチレンソルビタンベヘニン酸エステル、ポリオキシエチレンソルビタントリステアリン酸エステル、ポリオキシエチレントリイソステアリン酸エステル等が挙げられる。これらのうち、ポリオキシエチレンソルビタン脂肪酸エステルを構成する脂肪酸のアルキル基の炭素数としては洗い上りの肌がつるつるした感じ及び保護された感じをより高める観点から１２〜１８が好ましく、１４〜１８がより好ましく、１６〜１８がさらに好ましく、１８がとりわけ好ましい。ＥＯの重合度としては、５〜１００が好ましく、１０〜３０がより好ましく、１０〜２０がとりわけ好ましい。さらに、ポリオキシエチレンソルビタン脂肪酸エステルとしてはポリオキシエチレンモノ脂肪酸エステルが好ましい。これらの中で好ましい具体例としてはポリソルベート４０（ＨＬＢ１６）、ポリソルベート６０（ＨＬＢ１５）、ポリソルベート８０（ＨＬＢ１５）が挙げられ、ポリソルベート４０、ポリソルベート６０がさらに好ましく、ポリソルベート６０がことさら好ましい。
【００３３】
ポリオキシエチレンソルビトール脂肪酸エステルとしては、アルキル基の炭素数が１２〜２２の脂肪酸から構成され、ＥＯの重合度が５〜２００のものが好ましく、たとえばモノラウリン酸ポリオキシエチレンソルビット、テトラステアリン酸ポリオキシエチレンソルビット、テトラオレイン酸ポリオキシエチレンソルビット等が挙げられる。これらのうち、ポリオキシエチレンソルビトール脂肪酸エステルを構成する脂肪酸のアルキル基の炭素数としては１２〜１８が好ましく、１４〜１８がより好ましく、１６〜１８がさらに好ましく、１８がことさら好ましい。ＥＯの重合度としては、５〜１００が好ましく、１０〜６０がより好ましく、３０〜６０がさらに好ましく、４０〜６０がことさら好ましい。
【００３４】
ポリオキシエチレングリセリンモノ脂肪酸エステルとしては、アルキル基の炭素数が１２〜２２の脂肪酸を有し、ＥＯの重合度が５〜６０のものが好ましく、たとえば、ポリオキシエチレングリセリンモノラウリン酸エステル、ポリオキシエチレングリセリンモノミリスチン酸エステル、ポリオキシエチレングリセリンモノパルミチン酸エステル、ポリオキシエチレングリセリンモノイソステアリン酸エステル、ポリオキシエチレングリセリンモノステアリン酸エステル、ポリオキシエチレングリセリンモノオレイン酸エステル、ポリオキシエチレングリセリンモノベヘニン酸エステル等が挙げられる。これらのうち、ポリオキシエチレングリセリンモノ脂肪酸エステルを構成する脂肪酸のアルキル基の炭素数としては１２〜１８が好ましく、１４〜１８がより好ましく、１６〜１８がさらに好ましく、１８がさらにより好ましい。ＥＯの重合度としては、５〜５０が好ましく、５〜３０がより好ましく、５〜２０がさらに好ましい。
【００３５】
ポリオキシエチレン硬化ヒマシ油としては、ＥＯの重合度がたとえば２０〜１００、好ましくは４０〜８０、さらに好ましくは６０のものを用いることができる。
【００３６】
成分（Ｅ）は、アルキル基の炭素数が１４〜１８であるポリオキシエチレン脂肪酸エステル、アルキル基の炭素数が１４〜１８であるポリオキシエチレンソルビタン脂肪酸エステル、および、ポリオキシエチレン硬化ヒマシ油から選ばれる１種または２種以上であることが好ましく、アルキル基の炭素数が１４〜１８であるポリオキシエチレンソルビタン脂肪酸エステル、又は、ポリオキシエチレン硬化ヒマシ油がより好ましい。
また、成分（Ｅ）としては、上述した具体例の中で、低温貯蔵安定性、泡の持続性、濃い泡の感じ、肌がつるつるした感じおよび保護された感じを良好にする観点から、アルキル基の炭素数が１２〜１８のポリオキシエチレンソルビタン脂肪酸エステルまたはポリオキシエチレン硬化ヒマシ油が好ましく、アルキル基の炭素数が１４〜１８のポリオキシエチレンソルビタン脂肪酸エステルまたはポリオキシエチレン硬化ヒマシ油がより好ましく、アルキル基の炭素数が１６〜１８のポリオキシエチレンソルビタン脂肪酸エステルまたはポリオキシエチレン硬化ヒマシ油がさらに好ましく、アルキル基の炭素数が１６〜１８のポリオキシエチレンソルビタン脂肪酸エステルがとりわけ好ましく、さらにより好ましくは炭素数１８のポリオキシエチレンソルビタン脂肪酸エステルである。
同様の観点から、成分（Ｅ）中のアルキル基の炭素数が１４〜１８であるポリオキシエチレンソルビタン脂肪酸エステルとポリオキシエチレン硬化ヒマシ油の含有量割合は、８０質量％以上が好ましく、９０質量％以上が好ましく、９８質量％以上が好ましく、実質１００質量％が更に好ましい。
【００３７】
また、成分（Ｅ）のＨＬＢは１１〜２０であり、同様の観点から、好ましくはＨＬＢが１２以上であり、好ましくは１８以下であり、より好ましくは１６以下である。
さらに具体的には、成分（Ｅ）として、モノパルミチン酸ポリオキシエチレンソルビタン（ポリソルベート４０、ＨＬＢ１６）、モノステアリン酸ポリオキシエチレンソルビタン（ポリソルベート６０、ＨＬＢ１４．９）、モノオレイン酸ポリオキシエチレンソルビタン（ポリソルベート８０、ＨＬＢ１５）、ポリオキシエチレン硬化ヒマシ油（４０Ｅ．Ｏ．、ＨＬＢ１２．５）、ポリオキシエチレン硬化ヒマシ油（６０Ｅ．Ｏ．、ＨＬＢ１４．０）、ポリオキシエチレン硬化ヒマシ油（８０Ｅ．Ｏ．、ＨＬＢ１５．０）が好ましく、モノパルミチン酸ポリオキシエチレンソルビタン（ポリソルベート４０）、モノステアリン酸ポリオキシエチレンソルビタン（ポリソルベート６０）がより好ましく、モノステアリン酸ポリオキシエチレンソルビタン（ポリソルベート６０）がことさら好ましい。
【００３８】
成分（Ｅ）の含有量は、低温貯蔵安定性、肌が保護された感じ、肌がつるつるした感じをさらに高める観点から、液体洗浄剤組成物全体に対してたとえば０．２〜５質量％であり、０．５〜３質量％が好ましく、１〜３質量％がより好ましく、１．５〜２．２質量％がさらに好ましい。
また、本実施形態において、成分（Ｅ）が、アルキル基の炭素数が１４〜１８であるポリオキシエチレンソルビタン脂肪酸エステル、および、ポリオキシエチレン硬化ヒマシ油から選ばれる１種または２種以上であって、成分（Ｅ）の含有量が、液体洗浄剤組成物全体に対して０．２〜５質量％が好ましく、０．５〜３質量％がより好ましく、１〜３質量％がさらに好ましく、１．５〜２．２質量％がよりさらに好ましい。
【００３９】
また、成分（Ｅ）について、低温貯蔵安定性をさらに高め、肌が保護された感じ、肌がつるつるした感じを良好にする点から、（Ｅ）／（Ａ）×１００が０より大きいことが好ましく、５以上であることがより好ましく、１５以上であることがさらに好ましく、また、８０以下であることが好ましく、７０以下であることがより好ましく、６０以下であることがさらに好ましい。
【００４０】
また、本実施形態において、本発明の効果を損ねない範囲で以下の成分（Ｆ）をさらに含んでもよい。
（Ｆ）下記一般式（２）で表されるアルキル硫酸塩またはポリオキシエチレンアルキル硫酸塩
Ｒ2−Ｏ−(ＣＨ2ＣＨ2Ｏ)m−ＳＯ3Ｙ  （２）
（上記一般式（２）中、Ｒ2は炭素数８〜２２のアルキル基またはアルケニル基を示し、ｍは０〜２０の数を示し、且つｍの平均が３以下であり、Ｙは水素原子、または、アルカリ金属、アルカリ土類金属、アンモニウム（ＮＨ4+）、アルキルアンモニウム、アルカノールアンモニウムおよびグルクアンモニウムから選ばれるカチオンを示す。）
【００４１】
一般式（２）中、Ｒ2は炭素数８〜２２のアルキル基またはアルケニル基であり、直鎖または分岐鎖のいずれでもよく、好ましくは炭素数１２〜１８、より好ましくは炭素数１２〜１４のアルキル基である。
また、式中、ｍは０〜２０の数を示し、０〜１２がより好ましい。ｍは、エチレンオシキシドの付加モル数を示し、成分（Ｆ）の組成中の平均付加モル数（ｍの平均値）は、１〜３であることが好ましく、１〜２であることがより好ましく、２であることがよりさらに好ましい。
【００４２】
また、Ｙとしては、水素原子；ナトリウム、カリウム等のアルカリ金属；カルシウム、マグネシウム等のアルカリ土類金属；アンモニウム、アルキルアンモニウム、アルカノールアンモニウム、グルクアンモニウムが挙げられる。これらのうち、水への溶け易さ、なじみやすさの点から、アルカリ金属、アンモニウムが好ましい。
【００４３】
成分（Ｆ）としては、ポリオキシエチレン（２）ラウリルエーテル硫酸ナトリウム、ポリオキシエチレン（１）ラウリルエーテル硫酸ナトリウム、ラウリル硫酸ナトリウム、ラウリル硫酸アンモニウム、ポリオキシエチレン（１）ラウリルエーテル硫酸アンモニウム、ポリオキシエチレン（２）ラウリルエーテル硫酸アンモニウム等が好ましく、ポリオキシエチレン（２）ラウリルエーテル硫酸ナトリウムがより好ましい。
また、エマール  ２２７、エマール  ０、エマール  １０、エマール  １２５Ａ、エマール１２５ＨＰ、エマール  １７０Ｊ（以上、花王社製）等の市販品を使用することができる。
【００４４】
成分（Ｆ）は、１種または２種以上を用いることができ、起泡性および泡量を向上させる観点から、全組成中に成分（Ｆ）を０．１〜３０質量％含有するのが好ましく、０．５〜２０質量％がより好ましく、１〜１０質量％がさらに好ましく、２〜７．５質量％がよりさらに好ましい。
また、成分（Ｆ）と成分（Ａ）との質量割合（（Ｆ）/（Ａ））は、すすぎやすい感じを良好にする観点から、０より大きく、また、２．５以下が好ましく、１．５以下がより好ましく、１以下がさらに好ましい。
【００４５】
また、本実施形態の液体洗浄剤組成物は、貯蔵安定性、泡質、及び使用感を向上させる観点から、エタノ−ル、イソプロパノ−ル、ｎ−プロパノ−ル、エチレングリコ−ル、ジエチレングリコ−ル、ポリエチレングリコ−ル、プロピレングリコ−ル、ジプロピレングリコ−ル、１，３−ブチレングリコ−ル、１，３−プロパンジオール、グリセリン、ポリグリセリン、イソプレングリコール等のアルコ−ル類やポリオール類を含有することが好ましい。なかでも、低温貯蔵安定性、泡の伸ばしやすさ、泡が濃い感じや泡の持続性を向上させる観点から、グリセリン、プロピレングリコール、１，３−プロパンジオール、１，３−ブチレングリコール、ジプロピレングリコールから選ばれる１種または２種以上のポリオール類を含有することが好ましく、グリセリン、プロピレングリコール、１，３−プロパンジオールら選ばれる１種または２種以上のポリオール類を含有することがより好ましい。
同様の観点から、上記のアルコ−ル類及びポリオール類の含有量は、本発明の液体洗浄剤組成物中に、好ましくは１〜５０質量％、より好ましくは５〜３０質量％、さらに好ましくは５〜２５質量％、よりさらに好ましくは１０〜２５質量％である。
さらに、ポリオキシエチレンアルキルエーテル等の上述したもの以外の非イオン性界面活性剤；染料等の着色剤；植物エキス類；防腐剤；キレート剤；ビタミン剤；グリチルレチン酸、グリチルリチン酸およびこれらの誘導体、アラントイン等の抗炎症剤；香料；紫外線吸収剤；酸化防止剤等を本発明の効果を損なわない範囲で液体洗浄剤組成物に含有させることができる。
【００４６】
また、本実施形態の液体洗浄剤組成物は、アニオン性、非イオン性、またはカチオン性の高分子増粘剤を本発明の効果を損なわない範囲で含有することができる。高分子増粘剤の含有量は、泡質を良好にする観点から、液体洗浄剤組成物全体に対して０．２質量％未満であることが好ましく、０．１質量％未満であることがより好ましく、０．０１質量％以下であることがさらに好ましく、実質的に高分子増粘剤を含有しないことが好ましい。これらの高分子増粘剤としては、カラギーナン、キサンタンガム、ゼラチン、グアーガム、セルロースガム、ベントナイト、カチオン化グアーガム、ヒドロキシプロピルメチルセルロース、ヒドロキシエチルセルロース、カチオン化セルロースおよびアクリルアミド・アクリル酸・塩化ジメチルジアリルアンモニウム共重合体、ポリ塩化ジメチルメチレンピペリジニウム、塩化ジメチルジアリルアンモニウム・アクリル酸共重合体、塩化ジメチルジアリルアンモニウム・アクリルアミド共重合体などから選ばれる１種または２種以上が挙げられる。
【００４７】
本実施形態において、液体洗浄剤組成物のｐＨは、成分（Ａ）の良好な泡立ちと肌の刺激感を低減する観点から、ｐＨ４．５〜８．０の範囲であるのが好ましく、ｐＨ５．０〜７．５がより好ましく、ｐＨ５．５〜６．５がさらに好ましく、ｐＨ６．０〜６．５がさらにより好ましい。かかるｐＨは、液体洗浄剤組成物１００ｍＬをビーカーに充填し、２５℃の恒温槽内にて２５℃に調整した後に、ｐＨ測定用電極を３分間浸し測定することができる。
本実施形態における液体洗浄剤組成物はｐＨ調整剤を含んでもよく、ｐＨ調整剤としては、水酸化ナトリウム、水酸化カリウム、トリエタノールアミン、アンモニア、リシン、アルギニン、ヒスチジン等の塩基や、塩酸、硫酸、リン酸、蟻酸、酢酸、クエン酸、リンゴ酸、乳酸、フマル酸、コハク酸等の酸を使用することができる。
【００４８】
本実施形態における液体洗浄剤組成物は、上述した各成分を用い、常法に従って製造することができる。また、かかる液体洗浄剤組成物は頭皮を含む皮膚の洗浄剤として用いることができ、好ましくは頭皮を除く皮膚の洗浄剤として用いられ、ボディウォッシュ、ハンドウォッシュ、洗顔料として用いられるのが好適である。このとき、本実施形態の液体洗浄剤組成物は、一般的な皮膚洗浄方法によって皮膚を洗浄するために用いられる。洗浄方法としては、手で洗う方法、コットン等の天然繊維やナイロン等の化学繊維から成るスポンジ、タオル、たわし等を使って洗う方法があり、肌の刺激感を低減する観点および液体洗浄剤組成物の泡性能と使用感を効果的に発揮する観点から、皮膚を洗浄剤とともに直接手で洗う方法のために用いられることが好ましい。また、本実施形態における液体洗浄剤組成物は、泡の伸ばしやすさ、泡が濃い感じ、泡が持続する感じに優れ、すすぎやすい感じ、洗浄による肌の刺激感が少なく、洗い上りの肌のつるつるした感じや保護感が良好であるため、敏感肌、乾燥肌、混合肌および角層の薄い乳幼児の肌から選ばれる皮膚の洗浄に好適であり、敏感肌、乾燥肌、および乳幼児の肌から選ばれる皮膚の洗浄により好適である。ここで、本明細書における敏感肌とは、神経線維が表皮内、および角層直下まで伸長しており、感覚刺激を認知し易くなっている知覚過敏状態の肌をいう。具体的には、知覚神経が過敏であるため僅かな外部刺激（温度、湿度、ホコリ、アレルゲン等）に対しても影響を受けやすく、化粧品の使用や外部刺激により、ぴりぴり、チクチク、むずむず感といったような感覚刺激を訴える肌を意味する。また、乳幼児は、乳児と幼児を意味し、乳児は生後０日から満１歳未満の子供を意味し、幼児は１歳以上就学前の子供を意味し、本実施形態では５歳以下の幼児により好適である。
【００４９】
本実施形態における液体洗浄剤組成物は、たとえば当該組成物をいずれの形態の容器に充填されてなるものでもよいが、好ましくは泡で吐出するタイプのノンガスフォーマー容器に充填されてなる。本実施形態における液体洗浄剤組成物をノンガスフォーマー容器に充填し容器から吐出した場合、吐出性に優れるだけでなく、肌に伸ばしやすく、泡が濃い感じでしかも持続する良好な泡質の使用感にすることができる。また、吐出した泡を手にとり、たとえば、直接手で肌を擦って、または撫でて洗うことで刺激感を感じることなく、洗い上り肌がつるつるして保護された感じが良好な使用感をより強く実感できる。
【００５０】
ノンガス型の泡吐出容器としては、空気と混合して泡として吐出できるものであればいずれのものでも用いることができるが、たとえば、ポンプヘッドを押すことで吐出するポンプフォーマー容器や胴体部分を押すことで吐出するスクイズフォーマー容器が挙げられる。これらのフォーマーは泡のサイズを細かくして泡質を良好にする観点から、吐出流路に細かいサイズの孔が開いた多孔質膜フィルターを備え、洗浄剤組成物と気体の混合物が多孔質膜フィルターを通過するものが一般的である。多孔質膜フィルターは、キメの細かく良好な泡質を得る観点から、好ましくは１００〜４００メッシュのフィルター、より好ましくは２００〜４００メッシュのフィルター、さらに好ましくは２００〜３０５メッシュのフィルターが用いられる。
【００５１】
しかし、洗浄剤成分の多くは、特にＮ−アシル酸性アミノ酸またはその塩は水に溶解して、これらのフォーマーから良好な泡が吐出するが、低温で貯蔵された場合、結晶化などして析出しやすく、析出物が多孔質フィルターの孔に詰まって泡質が低下したり、流路を塞いで吐出しなくなることがあった。
一方、本実施形態の液体洗浄剤組成物では、特定の成分（Ａ）〜（Ｄ）を特定の割合で組み合わせて用いることにより、−５℃から−１０℃の極低温でたとえば２日以上の長時間にわたって貯蔵されても沈殿物や不溶物を生じず透明に維持し続けることも可能となり、品質上格段に改善されている。
【００５２】
ノンガスフォーマー容器としては、たとえば、特開平７−３１５４６３号公報、特開平８−２３０９６１号公報および特開２００５−１９３９７２号公報等に記載されたフォーマー容器を使用することもできる。なかでも、液体洗浄剤を使用する環境における利便性の観点から、ポンプヘッドを押すことで吐出するポンプフォーマー容器が好ましく、泡質をさらに良好にする観点から、吐出流路に多孔質膜フィルターを備えるものが好ましい。このような多孔質膜フィルターは、さらにキメの細かく良好な泡質を得る観点から、１００〜４００メッシュのフィルターが好ましく、２００〜４００メッシュのフィルターがより好ましく、２００〜３０５メッシュのフィルターがさらに好ましく、かかる多孔質フィルターを吐出流路に１〜３枚配置するものが好ましく、２枚配置するものがさらに好ましい。また、ポンプフォーマー容器における液体洗浄剤と空気の混合比は、吐出される泡の密度（液体洗浄剤の質量／空気の体積）が、良好な泡量と肌を洗いやすい泡質を得る観点から、好ましくは０．０３〜０．１４ｇ／ｃｍ3であり、より好ましくは０．０５〜０．１１ｇ／ｃｍ3である。
【００５３】
本実施形態においては、上述した成分（Ａ）〜（Ｄ）を組み合わせて用いるとともに、成分（Ａ）〜（Ｃ）の含有量、成分（Ａ）、（Ｂ）および（Ｃ）の割合、ならびに、成分（Ａ）および（Ｃ）の割合について特定の条件を満たす構成となっている。このため、本実施形態の液体洗浄剤組成物は、低温での貯蔵安定性に優れるとともに、泡の伸ばしやすさ、濃い泡が持続する感じ、洗浄による肌の刺激感の低減、および、洗い上りの肌のつるつるした保護感の泡性能のバランスに優れている。また、本実施形態の液体洗浄剤組成物は、ノンガスフォーマー容器に充填から吐出して用いるのに好適である。
【実施例】
【００５４】
以下の例において、表中に特に示さない限り、各成分の含有量は質量％を示す。また、表中に特に示さない限り、原料の純分は１００％である。
【００５５】
（実施例１〜２９、比較例１〜１０）
表１〜表５に示す組成に従い、各例の液体洗浄剤組成物を常法により製造し、後述する方法に従ってｐＨを測定するとともに各評価を行った。結果を表１〜表５にあわせて示す。また、表６に、成分（Ｂ）の構成を示す。
【００５６】
（ｐＨの測定方法）
各例で得られた液体洗浄剤組成物１００ｍＬをビーカーに充填し、２５℃の恒温槽内にて２５℃に調整した。恒温に調整された試料にｐＨ測定用電極を３分間浸し、ｐＨを測定した。
【００５７】
（低温貯蔵安定性の評価方法）
各例で得られた組成物を１１０ｍＬの透明ガラス容器（ガラス製スクリュー管瓶、JSV-110、ニッコーハンセン社製）に８５ｍＬ入れて密封し、−１０℃の冷凍庫にそれぞれ表１〜表５に記載の期間保存した。また、一部の例については、得られた組成物を１１０ｍＬの透明ガラス容器（規格瓶＃１１、東京硝子器械社）に８０ｍＬ入れて密封して−５℃の冷凍庫にそれぞれ表１〜表５に記載の期間保存した。これらの組成物の保存後の外観を目視による視覚判定により下記の基準で判定し、低温貯蔵安定性を評価した。
○：透明であり、沈殿物や不溶物は確認されない
×：沈殿物や不溶物が確認される
【００５８】
（官能評価方法）
（泡の伸ばしやすさ、泡が濃い感じ、泡が持続する感じ、肌の刺激感がない感じ、すすぎやすい感じ、肌が保護された感じ、肌がつるつるした感じ）
各例で得られた液体洗浄剤組成物について、専門パネラー５名により、次の使用方法により以下の基準で評価した。５名の平均点を求め、以下の基準で各項目について評価を判定した。
（判定基準）
◎：平均点が３．５点以上
○：平均点が２．５点以上３．５点未満
△：平均点が１．５点以上２．５点未満
×：平均点が１．５点未満
【００５９】
表１〜表５に評価結果を示す。
液体洗浄剤組成物の使用方法は、室温２５℃、相対湿度４０％の部屋にて、実施例および比較例の液体洗浄剤を、ポンプヘッドを押すことで吐出する吉野工業所社製ポンプフォーマー容器（吐出流路に設けた多孔質膜フィルターのメッシュサイズは、２００メッシュ１枚と３０５メッシュ１枚）に充填し、２プッシュ分（１プッシュの吐出量約１ｍＬ、約１３ｃｍ3）を利き手の手の平に吐出させ、吐出した泡で利き手ではない側の腕（肘〜指先）を利き手の手の平で洗浄した。その後、上水道水（３０℃）で十分濯ぎ、乾いたタオルでふき取った。
評価は、洗浄時の泡の伸ばしやすさ、泡が濃い感じ、泡が持続する感じおよび肌の刺激感がない感じについて、すすぎ時のすすぎやすい感じについて、ならびに、洗い上がりの肌が保護された感じおよび肌がつるつるした感じについておこなった。評価基準は各項目について以下のとおりである。
【００６０】
（１）吐出した泡を肌にのせて伸ばすときの泡の伸ばしやすさ（表１〜表５中、「泡の伸ばしやすさ」）
４点：泡がとても伸ばしやすい
３点：泡が伸ばしやすい
２点：泡がやや伸ばしやすい
１点：泡が伸ばしやすくない
【００６１】
（２）泡が濃い感じがする（表１〜表５中、「泡が濃い感じ」）
４点：泡がとても濃いと感じる
３点：泡が濃いと感じる
２点：泡がやや濃いと感じる
１点：泡が濃いとは感じられない
【００６２】
（３）肌を洗っているときの泡が持続する感じ（表１〜表５中、「泡が持続する感じ」）
４点：泡の持続がとてもよいと感じる
３点：泡の持続が良いと感じる
２点：泡の持続がやや良いと感じる
１点：泡の持続が良くないと感じる
【００６３】
（４）洗浄時の肌の刺激感がない感じ（表１〜表５中、「刺激感がない感じ」）
４点：刺激感を感じない
３点：刺激感をほとんど感じない
２点：刺激感を少し感じる
１点：刺激感を感じる
【００６４】
（５）水で流すときすすぎやすい感じがする（表１〜表５中、「すすぎやすい感じ」）
４点：とてもすすぎやすいと感じる
３点：すすぎやすいと感じる
２点：ややすすぎやすいと感じる
１点：すすぎやすくないと感じる
【００６５】
（６）洗い上がりの肌が保護された感じ（表１〜表５中、「肌が保護された感じ」）
４点：肌が保護されている感じがする
３点：やや肌が保護されている感じがする
２点：若干肌が保護されている感じがする
１点：泡が保護されている感じがしない
【００６６】
（７）洗い上りの肌がつるつるする感じがする（表１〜表５中、「肌がつるつるした感じ」）
４点：肌がとてもつるつるすると感じる
３点：肌がつるつるすると感じる
２点：肌がややつるつるすると感じる
１点：肌がつるつるしないと感じる
【００６７】
【表１】
2018048348.tif 000003
【００６８】
【表２】
2018048348.tif 000004
【００６９】
【表３】
2018048348.tif 000005
【００７０】
【表４】
2018048348.tif 000006
【００７１】
【表５】
2018048348.tif 000007
【００７２】
【表６】
2018048348.tif 000008
【００７３】
表１〜表５より、各実施例で得られた液体洗浄剤組成物は、各比較例で得られたものに比べて、−１０℃で２日間以上の貯蔵安定性に優れるとともに、泡の伸ばしやすさ、泡が濃い感じ、泡が持続する感じ、すすぎやすい感じ、洗浄による肌の刺激感の低減、および、洗い上りの肌のつるつるした保護感の各性能のバランスに優れていた。また、一部の実施例における液体洗浄剤組成物では、たとえば−１０℃で４日以上、または、−５℃で４か月以上の貯蔵安定性に優れたものを得ることもできた。
【００７４】
（実施例３１、３２）
表７に、液体洗浄剤組成物の組成例を示す。
【００７５】
【表７】
2018048348.tif 000009
【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
次の成分（Ａ）、（Ｂ）、（Ｃ）ならびに（Ｄ）：
（Ａ）Ｎ−アシル酸性アミノ酸またはその塩  ２．５〜１５質量％、
（Ｂ）下記一般式（１）で表されるアルキルエーテルカルボン酸またはその塩  ０．３〜８質量％、
Ｒ1−Ｏ−（ＣＨ2ＣＨ2Ｏ）n−ＣＨ2−ＣＯＯＭ  （１）
（上記一般式（１）中、Ｒ1は炭素数４〜２２のアルキル基を示し、ｎは０〜２０の数を示し、Ｍは水素原子、アルカリ金属、アルカリ土類金属またはアンモニウムを示す。）
（Ｃ）炭素数８〜１４のアルキル基を有するアルキルアミドプロピルベタインおよび炭素数８〜１４のアルキル基を有するアルキルヒドロキシスルホベタインからなる群から選ばれる１種または２種以上の両性界面活性剤  ０．２〜５質量％、
（Ｄ）水、ならびに
（Ｅ）アルキル基の炭素数が１２〜２２であるポリオキシエチレン脂肪酸エステル、アルキル基の炭素数が１２〜２２であるポリオキシエチレンソルビタン脂肪酸エステル、アルキル基の炭素数が１２〜２２であるポリオキシエチレングリセリンモノ脂肪酸エステル、アルキル基の炭素数が１２〜２２であるポリオキシエチレンソルビトール脂肪酸エステル、および、ポリオキシエチレン硬化ヒマシ油から選ばれる１種または２種以上であって、ＨＬＢが１１〜２０の非イオン性活性界面剤
を含む液体洗浄剤組成物であって、
前記成分（Ａ）に対する前記成分（Ｂ）および前記成分（Ｃ）の合計量［（Ｂ）＋（Ｃ）］の割合が、質量比で、［（Ｂ）＋（Ｃ）］／（Ａ）×１００＝１５〜１２０  であり、
前記成分（Ａ）に対する前記成分（Ｃ）の割合が、質量比で、（Ｃ）／（Ａ）×１００＝５〜７０  であり、
成分（Ｅ）の含有量が、当該液体洗浄剤組成物全体に対して０．２〜５質量％である、液体洗浄剤組成物。
【請求項２】
前記成分（Ｅ）が、アルキル基の炭素数が１４〜１８であるポリオキシエチレンソルビタン脂肪酸エステル、および、ポリオキシエチレン硬化ヒマシ油から選ばれる１種または２種以上である、請求項１に記載の液体洗浄剤組成物。
【請求項３】
前記成分（Ｅ）がモノステアリン酸ポリオキシエチレンソルビタンを含む、請求項１または２に記載の液体洗浄剤組成物。
【請求項４】
前記成分（Ａ）がＮ−アシルグルタミン酸塩を含む、請求項１乃至３いずれか１項に記載の液体洗浄剤組成物。
【請求項５】
ノンガスフォーマー容器に充填してなる、請求項１乃至４いずれか１項に記載の液体洗浄剤組成物。